【手続補正書】
【提出日】令和3年7月14日(2021.7.14)
【手続補正１】
【補正対象書類名】特許請求の範囲
【補正対象項目名】全文
【補正方法】変更
【補正の内容】
【特許請求の範囲】
【請求項１】
車両（Ａ）において用いられ、ヘッドアップディスプレイ（１００，３００）による表示を制御する表示制御装置であって、
前記車両の前景中にある重畳対象に関連付けて表示される重畳コンテンツ（ＣＴｓ）について、前記重畳対象に対する表示位置のずれを補正する補正量を準備する補正量準備部（７１，７２，７３）と、
前記重畳コンテンツを前記重畳対象に重畳表示させ、前記補正量を用いた補正処理により前記重畳対象に対する前記重畳コンテンツのずれを低減させる表示制御部（７９）と、を備え、
前記表示制御部は、
前記ヘッドアップディスプレイの画角（ＶＡ）から前記重畳コンテンツが見切れる場合に、前記補正処理に用いる前記補正量を調整し、
前記補正量を調整する場合に、前記補正量の調整が行われていることを示す調整通知コンテンツ（ＣＴｆ）を、さらに表示させ、
前記調整通知コンテンツは、前記画角の外縁のうちで、前記重畳コンテンツと接する区間に表示されて、前記画角の外縁の位置を示す表示制御装置。
【請求項２】
前記表示制御部は、少なくとも一つの中止条件の成立に基づき、前記補正量の調整を中止する請求項１に記載の表示制御装置。
【請求項３】
前記表示制御部は、予め設定された特定コンテンツを、前記重畳コンテンツとして表示させる場合に、前記補正量の調整を中止する請求項２に記載の表示制御装置。
【請求項４】
前記表示制御部は、前記車両から前記重畳対象までの距離が近接閾値よりも短い場合に、前記補正量の調整を中止する請求項２又は３に記載の表示制御装置。
【請求項５】
車両（Ａ）において用いられ、ヘッドアップディスプレイ（１００，３００）による表示を制御する表示制御装置であって、
前記車両の前景中にある重畳対象に関連付けて表示される重畳コンテンツ（ＣＴｓ）について、前記重畳対象に対する表示位置のずれを補正する補正量を準備する補正量準備部（７１，７２，７３）と、
前記重畳コンテンツを前記重畳対象に重畳表示させ、前記補正量を用いた補正処理により前記重畳対象に対する前記重畳コンテンツのずれを低減させる表示制御部（７９）と、を備え、
前記表示制御部は、
前記ヘッドアップディスプレイの画角（ＶＡ）から前記重畳コンテンツが見切れる場合に、前記補正処理に用いる前記補正量を調整し、
少なくとも一つの中止条件の成立に基づき、前記補正量の調整を中止し、
前記車両から前記重畳対象までの距離が近接閾値よりも短い場合に、前記補正量の調整を中止する表示制御装置。
【請求項６】
前記表示制御部は、前記補正量を調整する場合に、前記補正量の調整が行われていることを示す調整通知コンテンツ（ＣＴｆ）を、さらに表示させる請求項５に記載の表示制御装置。
【請求項７】
前記表示制御部は、予め設定された特定コンテンツを、前記重畳コンテンツとして表示させる場合に、前記補正量の調整を中止する請求項５又は６に記載の表示制御装置。
【請求項８】
前記表示制御部は、前記補正量準備部にて準備された前記補正量が上限閾値を超える場合に、前記補正量の調整を中止する請求項２〜７のいずれか一項に記載の表示制御装置。
【請求項９】
前記表示制御部は、前記補正量が前記上限閾値を超える場合に、前記重畳コンテンツを非表示にする請求項８に記載の表示制御装置。
【請求項１０】
車両（Ａ）において用いられ、ヘッドアップディスプレイ（１００，３００）による表示を制御する表示制御装置であって、
前記車両の前景中にある重畳対象に関連付けて表示される重畳コンテンツ（ＣＴｓ）について、前記重畳対象に対する表示位置のずれを補正する補正量を準備する補正量準備部（７１，７２，７３）と、
前記重畳コンテンツを前記重畳対象に重畳表示させ、前記補正量を用いた補正処理により前記重畳対象に対する前記重畳コンテンツのずれを低減させる表示制御部（７９）と、を備え、
前記表示制御部は、
前記ヘッドアップディスプレイの画角（ＶＡ）から前記重畳コンテンツが見切れる場合に、前記補正処理に用いる前記補正量を調整し、
少なくとも一つの中止条件の成立に基づき、前記補正量の調整を中止し、
前記補正量準備部にて準備された前記補正量が上限閾値を超える場合に、前記補正量の調整を中止し、
前記補正量が前記上限閾値を超える場合に、前記重畳コンテンツを非表示にする表示制御装置。
【請求項１１】
前記表示制御部は、前記補正量を調整する場合に、前記補正量の調整が行われていることを示す調整通知コンテンツ（ＣＴｆ）を、さらに表示させる請求項１０に記載の表示制御装置。
【請求項１２】
前記表示制御部は、予め設定された特定コンテンツを、前記重畳コンテンツとして表示させる場合に、前記補正量の調整を中止する請求項１０又は１１に記載の表示制御装置。
【請求項１３】
前記表示制御部は、前記補正量を調整する場合、前記重畳コンテンツの様態を、前記補正量を調整しない場合とは異なる様態に変更する請求項１〜１２のいずれか一項に記載の表示制御装置。
【請求項１４】
前記表示制御部は、前記重畳コンテンツと同種の情報を提示する非重畳コンテンツ（ＣＴｎ）を、前記画角内に表示させる請求項１〜１３のいずれか一項に記載の表示制御装置。
【請求項１５】
車両（Ａ）において用いられ、ヘッドアップディスプレイ（１００，３００）による表示を制御する表示制御プログラムであって、
少なくとも一つの処理部（３１，５１）に、
前記車両の前景中にある重畳対象に関連付けて表示される重畳コンテンツ（ＣＴｓ）について、前記重畳対象に対する表示位置のずれを補正する補正量を準備し（Ｓ１０２）、
前記補正量を用いた補正処理により前記重畳対象に対する前記重畳コンテンツのずれを低減させつつ、前記重畳コンテンツを前記重畳対象に重畳表示させ（Ｓ１０８）、
前記ヘッドアップディスプレイの画角（ＶＡ）から前記重畳コンテンツが見切れる場合に、前記補正処理に用いる前記補正量を調整し（Ｓ１０６）、
前記補正量を調整する場合に、前記補正量の調整が行われていることを示す調整通知コンテンツ（ＣＴｆ）を、さらに表示させる、ことを含む処理を実施させ、
前記調整通知コンテンツは、前記画角の外縁のうちで、前記重畳コンテンツと接する区間に表示されて、前記画角の外縁の位置を示す表示制御プログラム。
【請求項１６】
車両（Ａ）において用いられ、ヘッドアップディスプレイ（１００，３００）による表示を制御する表示制御プログラムであって、
少なくとも一つの処理部（３１，５１）に、
前記車両の前景中にある重畳対象に関連付けて表示される重畳コンテンツ（ＣＴｓ）について、前記重畳対象に対する表示位置のずれを補正する補正量を準備し（Ｓ１０２）、
前記補正量を用いた補正処理により前記重畳対象に対する前記重畳コンテンツのずれを低減させつつ、前記重畳コンテンツを前記重畳対象に重畳表示させ（Ｓ１０８）、
前記ヘッドアップディスプレイの画角（ＶＡ）から前記重畳コンテンツが見切れる場合に、前記補正処理に用いる前記補正量を調整し（Ｓ１０６）、
少なくとも一つの中止条件の成立に基づき、前記補正量の調整を中止し、
前記車両から前記重畳対象までの距離が近接閾値よりも短い場合に、前記補正量の調整を中止する、
ことを含む処理を実施させる表示制御プログラム。
【請求項１７】
車両（Ａ）において用いられ、ヘッドアップディスプレイ（１００，３００）による表示を制御する表示制御プログラムであって、
少なくとも一つの処理部（３１，５１）に、
前記車両の前景中にある重畳対象に関連付けて表示される重畳コンテンツ（ＣＴｓ）について、前記重畳対象に対する表示位置のずれを補正する補正量を準備し（Ｓ１０２）、
前記補正量を用いた補正処理により前記重畳対象に対する前記重畳コンテンツのずれを低減させつつ、前記重畳コンテンツを前記重畳対象に重畳表示させ（Ｓ１０８）、
前記ヘッドアップディスプレイの画角（ＶＡ）から前記重畳コンテンツが見切れる場合に、前記補正処理に用いる前記補正量を調整し（Ｓ１０６）、
少なくとも一つの中止条件の成立に基づき、前記補正量の調整を中止し、
準備された前記補正量が上限閾値を超える場合に、前記補正量の調整を中止し、
前記補正量が前記上限閾値を超える場合に、前記重畳コンテンツを非表示にする、
ことを含む処理を実施させる表示制御プログラム。
【請求項１８】
車両（Ａ）において用いられるヘッドアップディスプレイであって、
前記車両の前景中にある重畳対象に関連付けて重畳コンテンツ（ＣＴｓ）を重畳表示させるプロジェクタ部（６１）と、
前記重畳コンテンツの前記重畳対象に対する表示位置のずれを補正する補正量を準備する補正量準備部（７１，７２，７３）と、
前記補正量を用いた補正処理により、前記重畳対象に対する前記重畳コンテンツのずれを低減させる表示制御部（７９）と、を備え、
前記表示制御部は、
前記プロジェクタ部の画角（ＶＡ）から前記重畳コンテンツが見切れる場合に、前記補正処理に用いる前記補正量を調整し、
前記補正量を調整する場合に、前記補正量の調整が行われていることを示す調整通知コンテンツ（ＣＴｆ）を、さらに表示させ、
前記調整通知コンテンツは、前記画角の外縁のうちで、前記重畳コンテンツと接する区間に表示されて、前記画角の外縁の位置を示すヘッドアップディスプレイ。
【請求項１９】
車両（Ａ）において用いられるヘッドアップディスプレイであって、
前記車両の前景中にある重畳対象に関連付けて重畳コンテンツ（ＣＴｓ）を重畳表示させるプロジェクタ部（６１）と、
前記重畳コンテンツの前記重畳対象に対する表示位置のずれを補正する補正量を準備する補正量準備部（７１，７２，７３）と、
前記補正量を用いた補正処理により、前記重畳対象に対する前記重畳コンテンツのずれを低減させる表示制御部（７９）と、を備え、
前記表示制御部は、
前記プロジェクタ部の画角（ＶＡ）から前記重畳コンテンツが見切れる場合に、前記補正処理に用いる前記補正量を調整し、
少なくとも一つの中止条件の成立に基づき、前記補正量の調整を中止し、
前記車両から前記重畳対象までの距離が近接閾値よりも短い場合に、前記補正量の調整を中止するヘッドアップディスプレイ。
【請求項２０】
車両（Ａ）において用いられるヘッドアップディスプレイであって、
前記車両の前景中にある重畳対象に関連付けて重畳コンテンツ（ＣＴｓ）を重畳表示させるプロジェクタ部（６１）と、
前記重畳コンテンツの前記重畳対象に対する表示位置のずれを補正する補正量を準備する補正量準備部（７１，７２，７３）と、
前記補正量を用いた補正処理により、前記重畳対象に対する前記重畳コンテンツのずれを低減させる表示制御部（７９）と、を備え、
前記表示制御部は、
前記プロジェクタ部の画角（ＶＡ）から前記重畳コンテンツが見切れる場合に、前記補正処理に用いる前記補正量を調整し、
少なくとも一つの中止条件の成立に基づき、前記補正量の調整を中止し、
前記補正量準備部にて準備された前記補正量が上限閾値を超える場合に、前記補正量の調整を中止し、
前記補正量が前記上限閾値を超える場合に、前記重畳コンテンツを非表示にするヘッドアップディスプレイ。
【手続補正２】
【補正対象書類名】明細書
【補正対象項目名】０００６
【補正方法】変更
【補正の内容】
【０００６】
上記目的を達成するため、開示された一つの態様は、車両（Ａ）において用いられ、ヘッドアップディスプレイ（１００，３００）による表示を制御する表示制御装置であって、車両の前景中にある重畳対象に関連付けて表示される重畳コンテンツ（ＣＴｓ）について、重畳対象に対する表示位置のずれを補正する補正量を準備する補正量準備部（７１，７２，７３）と、重畳コンテンツを重畳対象に重畳表示させ、補正量を用いた補正処理により重畳対象に対する重畳コンテンツのずれを低減させる表示制御部（７９）と、を備え、表示制御部は、ヘッドアップディスプレイの画角（ＶＡ）から重畳コンテンツが見切れる場合に、補正処理に用いる補正量を調整し、補正量を調整する場合に、補正量の調整が行われていることを示す調整通知コンテンツ（ＣＴｆ）を、さらに表示させ、調整通知コンテンツは、画角の外縁のうちで、重畳コンテンツと接する区間に表示されて、画角の外縁の位置を示す表示制御装置とされる。
また開示された一つの態様は、車両（Ａ）において用いられ、ヘッドアップディスプレイ（１００，３００）による表示を制御する表示制御装置であって、車両の前景中にある重畳対象に関連付けて表示される重畳コンテンツ（ＣＴｓ）について、重畳対象に対する表示位置のずれを補正する補正量を準備する補正量準備部（７１，７２，７３）と、重畳コンテンツを重畳対象に重畳表示させ、補正量を用いた補正処理により重畳対象に対する重畳コンテンツのずれを低減させる表示制御部（７９）と、を備え、表示制御部は、ヘッドアップディスプレイの画角（ＶＡ）から重畳コンテンツが見切れる場合に、補正処理に用いる補正量を調整し、少なくとも一つの中止条件の成立に基づき、補正量の調整を中止し、車両から重畳対象までの距離が近接閾値よりも短い場合に、補正量の調整を中止する表示制御装置とされる。
また開示された一つの態様は、車両（Ａ）において用いられ、ヘッドアップディスプレイ（１００，３００）による表示を制御する表示制御装置であって、車両の前景中にある重畳対象に関連付けて表示される重畳コンテンツ（ＣＴｓ）について、重畳対象に対する表示位置のずれを補正する補正量を準備する補正量準備部（７１，７２，７３）と、重畳コンテンツを重畳対象に重畳表示させ、補正量を用いた補正処理により重畳対象に対する重畳コンテンツのずれを低減させる表示制御部（７９）と、を備え、表示制御部は、ヘッドアップディスプレイの画角（ＶＡ）から重畳コンテンツが見切れる場合に、補正処理に用いる補正量を調整し、少なくとも一つの中止条件の成立に基づき、補正量の調整を中止し、補正量準備部にて準備された補正量が上限閾値を超える場合に、補正量の調整を中止し、補正量が上限閾値を超える場合に、重畳コンテンツを非表示にする表示制御装置とされる。
【手続補正３】
【補正対象書類名】明細書
【補正対象項目名】０００７
【補正方法】変更
【補正の内容】
【０００７】
また開示された一つの態様は、車両（Ａ）において用いられ、ヘッドアップディスプレイ（１００，３００）による表示を制御する表示制御プログラムであって、少なくとも一つの処理部（３１，５１）に、車両の前景中にある重畳対象に関連付けて表示される重畳コンテンツ（ＣＴｓ）について、重畳対象に対する表示位置のずれを補正する補正量を準備し（Ｓ１０２）、補正量を用いた補正処理により重畳対象に対する重畳コンテンツのずれを低減させつつ、重畳コンテンツを重畳対象に重畳表示させ（Ｓ１０８）、ヘッドアップディスプレイの画角（ＶＡ）から重畳コンテンツが見切れる場合に、補正処理に用いる補正量を調整し（Ｓ１０６）、補正量を調整する場合に、補正量の調整が行われていることを示す調整通知コンテンツ（ＣＴｆ）を、さらに表示させる、ことを含む処理を実施させ、調整通知コンテンツは、画角の外縁のうちで、重畳コンテンツと接する区間に表示されて、画角の外縁の位置を示す表示制御プログラムとされる。
また開示された一つの態様は、車両（Ａ）において用いられ、ヘッドアップディスプレイ（１００，３００）による表示を制御する表示制御プログラムであって、少なくとも一つの処理部（３１，５１）に、車両の前景中にある重畳対象に関連付けて表示される重畳コンテンツ（ＣＴｓ）について、重畳対象に対する表示位置のずれを補正する補正量を準備し（Ｓ１０２）、補正量を用いた補正処理により重畳対象に対する重畳コンテンツのずれを低減させつつ、重畳コンテンツを重畳対象に重畳表示させ（Ｓ１０８）、ヘッドアップディスプレイの画角（ＶＡ）から重畳コンテンツが見切れる場合に、補正処理に用いる補正量を調整し（Ｓ１０６）、少なくとも一つの中止条件の成立に基づき、補正量の調整を中止し、車両から重畳対象までの距離が近接閾値よりも短い場合に、補正量の調整を中止する、ことを含む処理を実施させる表示制御プログラムとされる。
また開示された一つの態様は、車両（Ａ）において用いられ、ヘッドアップディスプレイ（１００，３００）による表示を制御する表示制御プログラムであって、少なくとも一つの処理部（３１，５１）に、車両の前景中にある重畳対象に関連付けて表示される重畳コンテンツ（ＣＴｓ）について、重畳対象に対する表示位置のずれを補正する補正量を準備し（Ｓ１０２）、補正量を用いた補正処理により重畳対象に対する重畳コンテンツのずれを低減させつつ、重畳コンテンツを重畳対象に重畳表示させ（Ｓ１０８）、ヘッドアップディスプレイの画角（ＶＡ）から重畳コンテンツが見切れる場合に、補正処理に用いる補正量を調整し（Ｓ１０６）、少なくとも一つの中止条件の成立に基づき、補正量の調整を中止し、準備された補正量が上限閾値を超える場合に、補正量の調整を中止し、補正量が上限閾値を超える場合に、重畳コンテンツを非表示にする、ことを含む処理を実施させる表示制御プログラムとされる。
【手続補正４】
【補正対象書類名】明細書
【補正対象項目名】０００８
【補正方法】変更
【補正の内容】
【０００８】
また開示された一つの態様は、車両（Ａ）において用いられるヘッドアップディスプレイであって、車両の前景中にある重畳対象に関連付けて重畳コンテンツ（ＣＴｓ）を重畳表示させるプロジェクタ部（６１）と、重畳コンテンツの重畳対象に対する表示位置のずれを補正する補正量を準備する補正量準備部（７１，７２，７３）と、補正量を用いた補正処理により、重畳対象に対する重畳コンテンツのずれを低減させる表示制御部（７９）と、を備え、表示制御部は、プロジェクタ部の画角（ＶＡ）から重畳コンテンツが見切れる場合に、補正処理に用いる補正量を調整し、補正量を調整する場合に、補正量の調整が行われていることを示す調整通知コンテンツ（ＣＴｆ）を、さらに表示させ、調整通知コンテンツは、画角の外縁のうちで、重畳コンテンツと接する区間に表示されて、画角の外縁の位置を示すヘッドアップディスプレイとされる。
また開示された一つの態様は、車両（Ａ）において用いられるヘッドアップディスプレイであって、車両の前景中にある重畳対象に関連付けて重畳コンテンツ（ＣＴｓ）を重畳表示させるプロジェクタ部（６１）と、重畳コンテンツの重畳対象に対する表示位置のずれを補正する補正量を準備する補正量準備部（７１，７２，７３）と、補正量を用いた補正処理により、重畳対象に対する重畳コンテンツのずれを低減させる表示制御部（７９）と、を備え、表示制御部は、プロジェクタ部の画角（ＶＡ）から重畳コンテンツが見切れる場合に、補正処理に用いる補正量を調整し、少なくとも一つの中止条件の成立に基づき、補正量の調整を中止し、車両から重畳対象までの距離が近接閾値よりも短い場合に、補正量の調整を中止するヘッドアップディスプレイとされる。
また開示された一つの態様は、車両（Ａ）において用いられるヘッドアップディスプレイであって、車両の前景中にある重畳対象に関連付けて重畳コンテンツ（ＣＴｓ）を重畳表示させるプロジェクタ部（６１）と、重畳コンテンツの重畳対象に対する表示位置のずれを補正する補正量を準備する補正量準備部（７１，７２，７３）と、補正量を用いた補正処理により、重畳対象に対する重畳コンテンツのずれを低減させる表示制御部（７９）と、を備え、表示制御部は、プロジェクタ部の画角（ＶＡ）から重畳コンテンツが見切れる場合に、補正処理に用いる補正量を調整し、少なくとも一つの中止条件の成立に基づき、補正量の調整を中止し、補正量準備部にて準備された補正量が上限閾値を超える場合に、補正量の調整を中止し、補正量が上限閾値を超える場合に、重畳コンテンツを非表示にするヘッドアップディスプレイとされる。
【手続補正５】
【補正対象書類名】明細書
【補正対象項目名】０１３２
【補正方法】変更
【補正の内容】
【０１３２】
Ａ  車両、ＣＴｓ  重畳コンテンツ、ＣＴｎ  非重畳コンテンツ、ＣＴｆ  調整通知コンテンツ、ＶＡ  画角、３０  メータＥＣＵ（表示制御装置）、５０  ＨＵＤ−ＥＣＵ（表示制御装置）、３１，５１  処理部、６１  プロジェクタ（プロジェクタ部）、７１  重量補正値算出部（補正量準備部）、７２  加減速補正値算出部（補正量準備部）、７３  路面補正値算出部（補正量準備部）、７９  映像生成ブロック（表示制御部）、１００，３００，４００  ＨＵＤ（ヘッドアップディスプレイ）